(57)【要約】【課題】浴槽内または炭酸水製装置で生成された炭酸水の溶存炭酸ガス濃度を連続的に測定表示することを可能にする。【解決手段】炭酸水に溶存する炭酸ガスは減圧によって気化する。１次定量ポンプで定量サンプリングし、２次定量ポンプで２倍の容積を吸入し溶存炭酸ガスを気化する。この方法で２次定量ポンプの吐出側を気水分離槽に導き、気水分離した炭酸ガスを特定サイズの排気通路に設けられた気体流速センサを通すことによってその量を知ることが出来るので連続的に溶存ガス濃度を測定することが出来る。【選択図】図１
2012237689.tif 000002
【特許請求の範囲】
【請求項１】
浴槽用炭酸水の溶存炭酸ガス濃度を連続的に測定するため炭酸水をサンプリングする１次定量ポンプ送水量と、２次定量ポンプの送水量を１対２にし、１次定量ポンプと２次定量ポンプの接続管内での減圧によって溶存炭酸ガスを気化させる溶存炭酸ガス発泡部を設け、２次定量ポンプの吐出側をオーバーフロー管を備え定水位を保持する気水分離槽に接続し、分離ガス排出管に気体流速センサを設け大気に排出する構造を有し、ガス流速センサから溶存炭酸ガス濃度を計測表示する自動溶存炭酸ガス濃度表示器。
【発明の詳細な説明】
【技術分野】
【０００１】
本発明は、浴槽用炭酸水生成装置が作る炭酸水の溶存炭酸ガス濃度または浴槽内の溶存炭酸ガス濃度を連続自動で測定し表示する装置に関するものである。
【背景技術】
【０００２】
溶存炭酸ガス濃度を測定する方法として溶解前のｐＨと溶解後のｐＨ測定値から推測する方法、特定波長の赤外線吸収率から測定する方法、ガラス電極式で測定する方法の他に溶存ガスを過熱・超音波照射により溶解ガスを放出させてその圧力から測定する方法等がある。
【０００３】
しかし、現場で携帯用を使用するときの迅速性や連続測定には大いに悩まされ、システム組み込み測定機には価格の点で問題がある。
【０００４】
連続的に短時間で溶存炭酸ガス濃度を測定するには上記の方法では調整時間や価格にも問題があった。
【０００５】
この改善策として、隔膜式電極や気体透過膜を使用し更に超純水や不活性ガスなどを使用したシステム型測定器が提案されて精度や応答時間は解決できたが校正その他の調整や設置スペースと価格に問題があった。
【先行技術文献】
【特許文献】
【０００６】
【特許文献１】特開２００３−３４４３４３号公報
【発明の概要】
【発明が解決しようとする課題】
【０００７】
解決しようとする問題点は、リアルタイムで溶存炭酸ガス濃度を測定する方法と入浴客に常時表示する方法の２点である。
【課題を解決するための手段】
【０００８】
本発明は、溶存炭酸水の濃度を測定するための手段として炭酸水を連続吸引減圧し溶存ガスを放出させ、その放出ガスを特定サイズの放出管を通しその時の流速を測定し溶存炭酸ガス濃度に変換する方法を主要な特徴とする。
【発明の効果】
【０００９】
本発明の自動溶存炭酸ガス濃度表示器は、正圧で炭酸水を１次定量ポンプで吸引し、次に１次定量ポンプ吐出側と２次定量ポンプ吸入側とを減圧発泡管で接続し、１次定量ポンプの２倍の容積で２次定量ポンプを運転することによって溶存炭酸ガスを減圧分離した炭酸ガス混合液を２次定量ポンプ吐出側に接続されている気水分離槽へ送る機構を有し、気水分離槽ではオーバーフロー管で定水位を維持しているので気水分離槽の上部にある気体流速センサを通して減圧分離された炭酸ガスが排気される流速を測定することによって溶存炭酸ガス濃度を知ることが出来るので、連続して溶存炭酸ガス濃度を知ることが出来るという利点がある。
【図面の簡単な説明】
【００１０】
【図１】図１は炭酸水生成装置吐出側からサンプリングする形態の実施方法を示した図面である。（実施例１）
【図２】図２は浴槽からサンプリングする形態の実施方法を示した図面である。（実施例２）
【発明を実施するための形態】
【００１１】
溶存炭酸ガス濃度を連続的に測定するという目的を、サンプリング量の２倍の容積で連続減圧することで、簡潔最少部品で実現した。
【実施例１】
【００１２】
図１は、本発明装置の１実施例のシステム図であって、１は炭酸水浴槽、２は炭酸水生成装置、３は流量計、４は１次定量ポンプ、５は減圧発泡管、６は２次定量ポンプ、７は気水分離槽、８は気体流速センサ、９はオーバーフロー管、１０はオーバーフローピット、１１は電気制御装置、１２は現場表示器、１３は現場記録計、１４は浴室内表示器である。
【００１３】
炭酸水生成装置２は循環ポンプ内蔵の装置であるものとし、炭酸水浴槽１の下部から吸込み上部に排出する。
【００１４】
サンプリングは炭酸水生成装置１の吐出側配管から分岐し流量計３を経由し１次定量ポンプ４に接続される。
【００１５】
１次定量ポンプ４は電気制御装置１１によって毎分１リットルの定量サンプリングするようにコントロールされる。
【００１６】
２次定量ポンプ６は電気制御装置１１によって毎分２リットルの定量サンプリングするようにコントロールされる。
【００１７】
一般に炭酸水浴槽の溶存炭酸ガス濃度は１，０００ｐｐｍ前後とされているので、下記の数１によって求まる数式の各物理量値の例を示す。
【００１８】
【数１】
2012237689.tif 000003
【００１９】
数１から１，０００ｐｐｍの炭酸水１リットルに対し１グラムの炭酸ガスが溶解していることになるから、１リットルを減圧し溶解炭酸ガス全量がガス化すると約５００平方センチになるので全体の容積は約１．５倍になる。このことからサンプリング量の２倍の容積で減圧することで１，０００ｐｐｍ前後の溶解濃度は十分測定できることになる。
【００２０】
２次定量ポンプ６は減圧発泡管５で炭酸ガスが発泡した気水混合水を吸入し気水分離槽７に注入する。  
【００２１】
このように１次２次定量ポンプが連携し連続的にサンプリング減圧発泡注入を行うことによって気水分離槽７では炭酸ガスと水に分離され、液体はオーバーフロー管から定水位を保持しながら排水され、気体の炭酸ガスは気体流速センサを通過し流速測定され大気に放出され連続測定が可能となる。
【実施例２】
【００２２】
図２の実施例では、１次定量ポンプの位置が特に重要であり、サンプリング配管のサイズと長さ曲がりに影響されるが、浴槽液面から３０センチメートル以上低位にあることが望ましい、なぜならサンプリング時に減圧発泡が起こり測定精度に影響されるからであるが、このことを考慮に入れた配管をすれば問題なく測定精度を保てる。
【産業上の利用可能性】
【００２３】
大衆浴場等に設けられた炭酸泉において利用者が最も知りたいのは溶存炭酸ガス濃度である。しかし現状では濃度計設置個所は見当たらない。その原因は測定装置が無いのではなくその価格が高すぎるため設置できないでいるのが現状である。本発明の測定器はその構造原理から現在市販されている装置の数分の１程度に価格が抑えられ、且つメンテナンスが非常に簡易なことから設置者に過大な負担をかけずに設置でき、また利用者にも満足感を与えるものである。
【符号の説明】
【００２４】
１    炭酸水浴槽
２    炭酸水生成装置
３    流量計
４    １次定量ポンプ
５    減圧発泡管
６    ２次定量ポンプ
７    気水分離槽
８    気体流量センサ
９    オーバーフロー管
１０    オーバーフローピット
１１    電気制御装置
１２    現場表示器
１３    記録計
１４    浴室内表示器
１５    濾過装置
【図１】
2012237689.tif 000004
【図２】
2012237689.tif 000005